(57)【特許請求の範囲】
【請求項１】
データ放送番組制作における校正方法であって、
視聴者の受信機に、所定のＩＤ番号のイベントメッセージを受信した場合には、そのイベントメッセージに添付されたデータから必要な情報を取得して、所定の条件を満たす場合はその受信機に蓄積されている指定されたダミー番組のリンクを変更するリンク変更手段を設定するステップ、
制作途中の番組データを所定のサーバーにアップロードするステップ、
ダミー番組を用意しこれを放送するステップ、
特定の個人を識別する情報、ダミー番組の番組識別情報、ダミー番組のリンクを変更して前記制作途中の番組データを閲覧可能とするために必要な情報をデータ部分に添付したイベントメッセージを発信するステップ、
を順に実行することにより、所定のＩＤ番号のイベントメッセージを受けた時に前記リンク変更手段の働きにより、指定された特定の個人の識別情報を保持している受信機においてだけ、前記ダミー番組のリンクが変更されて、前記サーバーにアップロードされた制作途中の番組データを閲覧し内容を検査することが可能となることを利用するデータ放送番組制作における校正方法。
【請求項２】
データ放送番組制作における校正方法であって、
視聴者の受信機に、所定のＩＤ番号のイベントメッセージを受信した場合には、添付されたデータから必要な情報を取得して、所定の条件を満たす場合はその受信機に蓄積されている指定されたダミー番組のリンクを変更するリンク変更手段を設定するステップ、
制作途中の番組データをダミー番組からのリンクのない付加データとしてダミー番組に含めて放送するステップ、
特定の個人を識別する情報、ダミー番組の番組識別情報、ダミー番組のリンクを変更して前記制作途中の番組データを閲覧可能とするために必要な情報をデータ部分に添付したイベントメッセージを発信するステップ、
を順に実行することにより、所定のＩＤ番号のイベントメッセージを受けた時に前記リンク変更手段の働きにより、指定された特定の個人の識別情報を保持している受信機においてだけ、前記ダミー番組のリンクが変更されて、制作途中の番組データを閲覧し内容を検査することが可能となることを利用するデータ放送番組制作における校正方法。
【請求項３】
データ放送番組制作における校正方法であって、通常の蓄積番組と特別な蓄積番組を区別して扱い、通常の蓄積番組だけをアクセスするユーザーインターフェースを提供する蓄積型デジタル放送受信機に対して、
このような受信機に、所定のＩＤ番号のイベントメッセージを受信した場合には、添付されたデータから必要な情報を取得して、所定の条件を満たす場合はその受信機に蓄積されている特別な蓄積番組を通常の蓄積番組として扱うようその属性等を変更する閲覧有効化手段を設定するステップ、
制作途中の番組データを特別な蓄積番組として放送するステップ、
特定の個人を識別する情報、対象とする特別な蓄積番組の番組識別情報をデータ部分に添付したイベントメッセージを発信するステップ、
を順に実行することにより、所定のＩＤ番号のイベントメッセージを受けた時に前記閲覧有効化手段の働きにより、指定された特定の個人の識別情報を保持している受信機においてだけ、前記特別な蓄積番組の属性等が変更されてアクセス可能となり、当該受信機上で制作途中の番組データを閲覧し内容を検査することが可能となることを利用するデータ放送番組制作における校正方法。
【発明の詳細な説明】
【０００１】
【発明の属する技術分野】
本発明は、データ放送を利用したデータ放送番組の制作における制作データの校正確認方法に関する。
【０００２】
【従来技術】
データ放送を伴うデジタル放送サービスとしては、ＢＳデジタル放送が２０００年よりサービスを開始した。さらに、２００２年より蓄積型デジタル放送サービスを行うＣＳデジタル放送の開始が予定されている。蓄積型デジタル放送とは、放送番組をデジタルデータとして蓄積できるデジタル放送受信機を前提とした放送サービスであって、放送番組を受信機に蓄積した上で、後で都合のよい時に必要な番組だけを選択して再生視聴できるような番組を提供する放送サービスである。
【０００３】
デジタル放送のデータ放送番組の記述言語としては、既にサービスが開始したＢＳデジタル放送の他、東経１１０度ＣＳ放送、地上波デジタル放送のいずれもＸＭＬをベースとしたＢＭＬ（Broadcast Markup Language）が用いられることが予定されている。ＢＭＬは、ＸＭＬ（eXtensible Markup Language）を基本にデータ放送用途に専用化した記述言語である。ＷＷＷブラウザがＨＴＭＬ（HyperText Markup Language）データを解釈してコンピュータ画面に表示するのと同じように、データ放送に対応した受信機は、ＢＭＬで記述されたデータ放送番組データを解釈してＴＶ画面に表示する機能を備えている。ＢＭＬは、さらに、データ放送画面上で動的な動作を表現可能とするために、ECMAScriptという手続き記述言語で、処理手順を記述させることができる。この手続き記述言語でＢＭＬデータの中に挿入された部分を便宜上ＢＭＬのスクリプトなどと呼ぶ。ECMAScriptは、JavaScript(登録商標)をベースとしたオブジェクト指向スクリプト言語である。このようにデジタル放送に付随したデータ放送は、ＴＶ放送に様々な機能を付加できるため、その有効な利用方法が模索されている。
【０００４】
ところで、生活情報として身近なものに新聞の折込みチラシがある。ここでチラシとは、具体的な商品あるいはサービスの販売促進を図るために作成される広告コンテンツの一態様であって、商品またはサービスを特定する名称または型番、商品の機能効能またはサービスの内容、価格など広告主および購買者にとって重要な具体的情報を含むものと定義することができる。インターネットを利用した電子的なチラシの配布サービスとしては既に http://www.dnp-orikomio.com/等において実用化されている。一方、蓄積型デジタル放送のデータ放送サービス（以下蓄積型データ放送）を利用して、電子チラシ情報を蓄積型データ放送番組として放送すれば、ＴＶ受信機（データ放送受信機を接続したＴＶモニタ）上で同様な電子的なチラシ情報を閲覧することが可能となる。
【０００５】
【発明が解決しようとする課題】
しかしながら、蓄積型データ放送を利用して上記電子チラシ等のデータ放送番組を提供するには、既に実用化されたインターネットによる情報提供と比べて、実際問題として、次のような問題を抱えている。インターネットコンテンツでは、その制作段階において、コンテンツの体裁やリンクの確認は、制作担当者のコンピュータ上のＷＷＷブラウザで行うことができるが、これは一般利用者がそのインターネットコンテンツを閲覧する環境と全く同じである。したがって、制作担当者のコンピュータ上でインターネットコンテンツの体裁確認およびそのコンテンツが複数ＨＴＭＬ頁に渡る場合のリンクの確認を完璧に行うことができる。
【０００６】
一方、データ放送番組制作時においては、蓄積型データ放送対応受信機は、放送局から提供された番組データだけしか受信機のハードディスクに記録できないため、制作担当者は、一般利用者がデータ放送番組を視聴する環境と全く同じ状態でデータ放送番組の体裁確認およびその番組が複数ＢＭＬ頁に渡る場合のリンクの確認を行なうことは簡単にはできないという問題点がある。一般利用者が閲覧する環境と全く同じ状態でデータ放送番組の確認を行なうには、制作途中のデータ放送番組データを放送局から実際に放送し、これを受信するか、またはその状態を室内環境でシミュレーションする高額な機械を使用する必要があるからである。
【０００７】
本発明は、このようなデータ放送番組制作上の難点を解消するためになされたものであって、一般利用者の扱うデジタル放送受信機の環境で、表示体裁および画面遷移等の動作の確認を容易に行なうデータ放送番組制作方法およびデータ放送番組制作システムを提供すること課題とする。
【０００８】
【課題を解決するための手段】
課題を解決するための第１の発明は、データ放送番組制作における校正方法であって、その第１の態様は、
視聴者の受信機に、所定のＩＤ番号のイベントメッセージを受信した場合には、そのイベントメッセージに添付されたデータから必要な情報を取得して、所定の条件を満たす場合はその受信機に蓄積されている指定されたダミー番組のリンクを変更するリンク変更手段を設定するステップ、
制作途中の番組データを所定のサーバーにアップロードするステップ、
ダミー番組を用意しこれを放送するステップ、
特定の個人を識別する情報、ダミー番組の番組識別情報、ダミー番組のリンクを変更して前記制作途中の番組データを閲覧可能とするために必要な情報をデータ部分に添付したイベントメッセージを発信するステップ、
を順に実行することにより、所定のＩＤ番号のイベントメッセージを受けた時に前記リンク変更手段の働きにより、指定された特定の個人の識別情報を保持している受信機においてだけ、前記ダミー番組のリンクが変更されて、前記サーバーにアップロードされた制作途中の番組データを閲覧し内容を検査することが可能となることを利用することを要旨とする。ダミー番組のリンクを変更して前記制作途中の番組データを閲覧可能とするために必要な情報とは、具体的にはリンクの変更箇所と変更後のリンク宛先の情報のリスト等である。
【０００９】
イベントメッセージ（以下ＥＭ）とは、番組放送中に、放送局から発信されるトリガー信号である。受信機はこのＥＭによって、番組の表示内容を変更させたり、何らかの割り込み処理を開始するトリガー信号として利用することができる。ＥＭはＥＭの種類を特定するＩＤを持ち、データ部分を添付することもできる。
【００１０】
視聴者の受信機に、リンク変更手段を設定するステップは、リンク変更手段を実現するソフトウエアプログラムを受信機にインストールすることによって行なってもよいし、または、リンク変更手段として動作するＢＭＬスクリプトを含んだ蓄積番組でない番組を放送局から放送し、受信機に受信させることで行なってもよい。
【００１１】
第１の発明に係る異なる態様である第２の態様は、
視聴者の受信機に、所定のＩＤ番号のイベントメッセージを受信した場合には、添付されたデータから必要な情報を取得して、所定の条件を満たす場合はその受信機に蓄積されている指定されたダミー番組のリンクを変更するリンク変更手段を設定するステップ、
制作途中の番組データをダミー番組からのリンクのない付加データとしてダミー番組に含めて放送するステップ、
特定の個人を識別する情報、ダミー番組の番組識別情報、ダミー番組のリンクを変更して前記制作途中の番組データを閲覧可能とするために必要な情報をデータ部分に添付したイベントメッセージを発信するステップ、
を順に実行することにより、所定のＩＤ番号のイベントメッセージを受けた時に前記リンク変更手段の働きにより、指定された特定の個人の識別情報を保持している受信機においてだけ、前記ダミー番組のリンクが変更されて、制作途中の番組データを閲覧し内容を検査することが可能となることを利用するデータ放送番組制作における校正方法である。
【００１２】
第１の発明に係る異なる態様である第３の態様は、
通常の蓄積番組と特別な蓄積番組を区別して扱い、通常の蓄積番組だけをアクセスするユーザーインターフェースを提供する蓄積型デジタル放送受信機に対して、
このような受信機に、所定のＩＤ番号のイベントメッセージを受信した場合には、添付されたデータから必要な情報を取得して、所定の条件を満たす場合はその受信機に蓄積されている特別な蓄積番組を通常の蓄積番組として扱うようその属性等を変更する閲覧有効化手段を設定するステップ、
制作途中の番組データを特別な蓄積番組として放送するステップ、
特定の個人を識別する情報、対象とする特別な蓄積番組の番組識別情報をデータ部分に添付したイベントメッセージを発信するステップ、
を順に実行することにより、所定のＩＤ番号のイベントメッセージを受けた時に前記閲覧有効化手段の働きにより、指定された特定の個人の識別情報を保持している受信機においてだけ、前記特別な蓄積番組の属性等が変更されてアクセス可能となり、当該受信機上で制作途中の番組データを閲覧し内容を検査することが可能となることを利用するデータ放送番組制作における校正方法である。
【００１３】
【発明の実施の形態】
以下図面を用いて、本発明の校正方法を利用したデータ放送番組制作システム１（以下システム１）を説明してゆく。以下の説明では、作成するデータ放送番組としては、新聞折込みチラシと同様、商店等の商品売出し情報を内容とした番組を制作する場合を例に説明する。したがって以下では、そのようなデータ放送番組を「チラシ番組」とし、そこに掲載する情報を提供する情報提供者を「チラシ出稿企業」と呼ぶことにする。図１はシステム１の全体構成図である。システム１は、データ放送番組制作業者等に設置される設備１００に、チラシ出稿企業の担当者が使用するクライアントコンピュータ４０がネットワーク９を介して接続された構成をとる。
【００１４】
データ放送番組制作業者等に設置される設備１００には、ＷＷＷサーバー手段１１、原稿登録手段１２、流し込み手段１４、番組編集手段１５を備えた第１のサーバー１０（以下制作サーバー１０と記す）およびがデータ放送番組制作業者等の作業者が使用するクライアントコンピュータ５０が設置される。制作サーバー１０に接続される記憶装置２０には、データ放送番組に掲載される商品画像やテキスト、ロゴ画像等を記録管理する原稿データベース２１が備えられている。またデータ放送番組の制作に必要なＢＭＬテンプレート２２が記録されている。データ放送番組の割付レイアウトは何種類か用意されており、その各レイアウトのデータ放送番組データを作成するためのＢＭＬテンプレートが用意されている。原稿データベース２１には、チラシの１コマ（１掲載商品等）を構成するために必要な情報が１レコードとして記録管理される。その１レコードには、テキスト、使用する画像ファイルへのリンク、およびパラメータ情報（分類・掲載期間、配信地域、店舗情報の有無、クーポンの有無、使用するテンプレートの種類（チラシの割付レイアウトの型））が含まれる。
【００１５】
ＷＷＷサーバー手段１１は、ネットワークを通してアクセスしてくるチラシ出稿担当者のコンピュータ画面に画像・テキスト入力、レイアウトパターンの指定等を行うユーザーインターフェースを提供し、入力されたデータを受けて原稿登録手段１２を呼出して必要な処理を行なわせる。ＷＷＷサーバー手段１１は、入手可能なＷＷＷサーバーソフトウエアをデータサーバー１０にインストールして実現する。原稿登録手段１２は、ＷＷＷサーバー手段１１から呼出されるソフトウエアモジュールであって、ＷＷＷサーバー手段１１が受付けた原稿データを、所定の仕方で原稿データベース２１に登録する。流し込み手段１４は、受付けた原稿データに基づいて前記ＢＭＬテンプレートを利用して一掲載商品のための一画面のＢＭＬデータを作成する。流し込み手段１４はＷＷＷサーバー手段１１から呼出されるソフトウエアモジュールである。また、クライアントコンピュータ５０を使用する作業者は、番組編集手段１５の提供するユーザーインターフェースを利用して、複数の確認済みの一画面ＢＭＬデータを組合わせてデータ放送用の１本の番組データを作成する。番組編集手段１５は、ＢＭＬデータに他のＢＭＬデータへのハイパーリンクを付加するなどの編集作業インターフェースをクライアントコンピュータ４０または５０に提供し、作業者の入力に従って、複数のＢＭＬデータから１まとまりの放送番組データを構成するソフトウエアプログラムである。
【００１６】
図３は、蓄積型データ放送サービスのサービス形態の概念図である。ここで蓄積型データ放送サービスについて一般的な説明をしておく。３００は、視聴者宅に設置される蓄積型データ放送対応受信機である。放送番組蓄積記録用の記憶装置３１０を備えている。３０９は受信アンテナである。３２０はＴＶモニタ３３０の画面をプリントするためのカラープリンタである。受信機３００には表示画面データをキャプチャして画像データとしてプリントアウトするプリンタドライバが備えられている。また、受信機３００は、ネットワークインターフェースを有しており、回線３０６を通じて放送局等が設置する配信サーバー３０からコンテンツデータ（これを通信コンテンツと呼ぶ）を読み出すこともできる。データ放送番組制作業者の設備１００にて作成された番組データは、放送コンテンツとして放送される場合（図３▲１▼）と、この配信サーバー３０から通信コンテンツとして提供される場合（図３▲３▼）がある。放送コンテンツのデータは放送局２００から放送アンテナ２０９、中継衛星６を介して受信機３００に到達する。（ただし地上波データ放送がサービスされる場合は中継衛星６を経由しない。）放送コンテンツとして受信機３００に受信されたデータ放送番組データは、通常、蓄積コンテンツとして記憶装置３１０に記録され（図３▲２▼）、視聴者の操作により必要な時に呼出される．
【００１７】
図２は、データ放送番組制作システム１を使用したデータ放送番組データの制作フローを示している。以下図２に従って、データ放送番組制作システム１を使用した製作フローを説明する。チラシ出稿企業の担当者はクライアントコンピュータ４０からサーバー１０のＵＲＬを指定してサーバー１０にログインする（Ｓ１０）。ログインが了承された場合は、担当者に提供されるデータ入力画面から掲載チラシ１件の入力を行う（Ｓ１２）。まず、パラメータ情報を入力する。パラメータとは、そのチラシ１件の情報の分類・掲載期間、配信地域、店舗情報の有無、クーポンの有無、テンプレートの種類（チラシの割付レイアウトの型）の選択等の指定情報である。次に、チラシに使用する画像ファイルの指定、テキストの入力を行う。１件の入力・指定（または１画面を構成するのに必要な件数の入力）が終ったところで制作者は流し込み手段１４を呼出すことによりチラシ番組の一画面分のＢＭＬデータの作成を行う（Ｓ１４）。作成されたＢＭＬデータは直ちに配信サーバー３０に転送され、プレビュー画面として登録される（Ｓ１６）。このプレビュー画面は、特定者（チラシ番組制作担当者）だけが閲覧可能なデータである。
【００１８】
一方、放送局は、このプレビュー画面を特定者が閲覧するためのダミー番組を放送する。ダミー番組は、特定者以外の者には通常の広告番組あるいは告知番組等として表示されるものである。そして、放送局は、配信サーバー３０へプレビュー画面を転送直後に所定のＩＤ番号のＥＭを発信する（Ｓ１７）。このＥＭを受信した受信機は、後述するリンク変更手段３０１の働きにより、特定の視聴者（以下特定者）の受信機においては、前記ダミー番組の内部のリンクが変更され、配信サーバー３０にアップロードされたプレビュー画面へアクセス可能となる（Ｓ１７）。特定者である作業者は、受信機３００からリモコン操作により作業者しか閲覧できない頁、すなわちプレビュー画面をＴＶモニタ３３０に表示させ、単一画面の表示体裁を確認する（Ｓ１８）。体裁を確認してよければ、１画面分のデータを本登録する（Ｓ２０）。
【００１９】
図５は、ステップＳ１７で放送されるダミー番組５００を模式的に表したものである。このダミー番組はトップ頁（頁１）と頁２から構成され、頁１→頁２→頁１とリンクが貼られていることを表す。ダミー番組５００は、特定者の受信機がＥＭを受信した後は、リンクが変更されテスト番組５０１となる。図５の下部に示すように、頁２→配信サーバー内のプレビュー頁→頁１と番組内のリンクが変更される。したがってデータ放送番組制作担当者はステップＳ１８で単一画面体裁の確認が受信機３００上でできるようになる。制作担当者は表示画面をそのままの画面体裁でプリンタ３２０からプリントアウトすることもできる。
【００２０】
図２のフローに戻る。制作者は適当なタイミングで、本登録された１画面分のデータの集合２３から一番組を構成する一まとまりのデータセットを抽出して、必要なリンクの挿入等を行なって一つのデータ放送番組として編集を行う（Ｓ３０）。このようにして作成されたデータ放送番組は、一般視聴者にも視聴できるダミー番組内に隠されたデータとして付加されて放送される（Ｓ３２）。そして、放送局は、その直後に所定のＩＤ番号のＥＭを発信する（Ｓ３４）。このＥＭを受信した受信機は、後述するリンク変更手段３０１の働きにより、特定者の受信機においては、前記ダミー番組の内部のリンクを変更し、ダミー番組に隠されていた画面へアクセス可能とする。
【００２１】
特定者であるデータ放送番組制作担当者は、受信機３００からリモコン操作等を行い、アクセス可能となった制作途中のチラシ番組の動作の確認をおこなう（Ｓ３６）。問題があれば、ステップＳ３０に戻って手直しする。問題がなければ本放送用のデータとする（Ｓ４０）。
【００２２】
図６は、ステップＳ３２で放送されるダミー番組６００を模式的に表したものである。このダミー番組はトップ頁（頁１）と頁２から構成され、頁１→頁２→頁１とリンクが貼られていることを表す。頁３以降の頁はデータとしては存在するが一般の視聴者は決して閲覧することができない。ダミー番組６００は、特定者の受信機がＥＭを受信した後は、リンクが変更されテスト番組６０１となる。テスト番組６０１においては、頁２→頁３→その他の頁→頁３と番組内のリンクが変更される。したがってデータ放送番組制作担当者はステップＳ３６で頁３→その他の頁→頁３の本来のデータ放送番組として構成されるべき部分のリンクが正しく貼られているか等のチェックを受信機３００のリモコンを操作することにより、後日一般視聴者が完成されたデータ放送番組を閲覧する場合と全く同じ環境で確認することができる。
【００２３】
図２に示した方法の特徴は、プレビュー画面データを配信サーバーにセットした直後、または、制作途中の確認のための番組データを放送した直後にＥＭを発信させ（Ｓ１７，Ｓ３４）ることと、このＥＭのデータ領域に、それらのデータを閲覧できる者を特定するＩＤ番号等の識別情報と、それらのデータを特定者に閲覧させるために後述するリンク変更手段３０１が必要とする情報を含ませること、および、受信機側では、ステップＳ１７またはＳ３４で発信されるＥＭに応じて、特定の視聴者だけにプレビュー画面データまたは制作途中の番組データへのアクセスを可能とするリンク変更手段３０１を備えておくことである。
【００２４】
リンク変更手段３０１は、受信機３００に内蔵されたＣＰＵが解釈可能なソフトウエアプログラムとして受信機３００にあらかじめインストールしておく方法も考えられるが、その処理手順をＢＭＬデータに挿入可能なスクリプトにより記述してデータ放送のＢＭＬデータとして作成して放送局から放送し、各受信機３００で受信させるという方法をとってもよい。後者の方が、市販の受信機３００を改造することなく機能を実現できるのでより便利である。
【００２５】
図４は、リンク変更手段３０１の動作を説明するフローチャートである。図４に従ってリンク変更手段３０１の働きを説明する。以下の説明では、リンク変更手段３０１はそれ自身ＢＭＬのスクリプトであって、放送局からの放送波に常に含まれて放送されるＢＭＬデータであるとする。
【００２６】
リンク変更手段３０１の動作を実現するスクリプトの記述を含んだＢＭＬデータが、受信機に受信されると、まず、受信機が割込みイベントとして受付けるＥＭの種類と、そのＥＭが到着した場合の割り込み処理関数を設定する（Ｓ５０）。ここで、ステップＳ１７、Ｓ３４で発信されるＥＭについてあらかじめ決められたＩＤを受付け可能として設定する。以後、受信機３００は、ステップＳ１７，Ｓ３４で発信されるＥＭを受信することを割込みイベントとして認識することとなる。
【００２７】
受信機３００が、ステップＳ１７，Ｓ３４で発信されるＥＭを受付けると、割り込み処理関数が呼出される（Ｓ５４）。まず最初に、受付けたＥＭに添付されているデータ部分を読込む（Ｓ６０）。ＥＭからデータ部分を抽出するが、この種類のＥＭには、宛先視聴者の識別番号、対象とするダミー番組の識別番号、リンク変更箇所と変更先リンクのリストが記録されているため、このデータ部分を抜き出す。次に、割り込み処理関数は、受信機３００の不揮発メモリまたは受信機３００に挿入されているＩＣカードに記録されている当該受信機のＩＤを読み出し、ユーザーＩＤと照合する（Ｓ６２）。照合結果が一致するならば、番組識別番号で指定されるダミー番組の中の幾つかのリンクを、ステップＳ６０で読み出したリンク変更箇所と変更先リンクのリストの内容にしたがって書き換える（Ｓ６６）。その後呼出し先に戻る。照合結果が一致しない場合は、何もせずに元に戻る。
【００２８】
特定者（データ放送番組制作担当者）は、自分のＩＤが記録されている受信機上で、ダミー番組５００または６００をテスト番組５０１または６０１として閲覧できるため画面体裁やリモコン操作による動作の確認をすることができる。尚、上記ステップＳ６２の認証処理では、視聴者の識別番号により受信機を検証するだけである。その場で視聴している者の認証を厳格に要する場合は、テスト番組５０１または６０１において頁２の次に最初に表示される頁において視聴者にパスワードを要求することにより、実際に視聴している人の検証をも併せて行なうことが可能である。この場合には、ＥＭのデータ部分に特定者のパスワードをも含めておけばよい。
【００２９】
以上本発明に係るデータ放送番組制作における校正方法を具現化した制作システム１を本発明の実施形態として説明した。新聞折込みチラシと同様な内容の番組制作を例にとって説明したが、本発明の校正方法およびそれを具現化した制作システム１はそれ以外の一般の番組制作にも利用できることは明らかである。この制作システムにおいては、必ず一般視聴者の目にも触れるダミー番組を放送しなければならないという欠点がある。実際上は一般の広告または告知のための番組としてダミー番組と意識させないように放送するわけであるが、制約事項であることにかわりはない。そこで、次に、これまで説明した制作システムの変形例を第２の実施形態として説明する。以下に述べる第２の実施形態は、ダミー番組を必要としない利点を持つ方法である。ただし、受信機３００に一定の機能を付加することを必要とする。
【００３０】
一般に蓄積型デジタル放送対応受信機３００は、視聴者のリモコン操作に応じて、受信機の内蔵ハードディスク３１０に蓄積されている蓄積番組を提示し、それらの番組を閲覧するためのユーザーインターフェース（これを案内画面と呼ぶことにする）を提供する機能を備えている。これをディレクトリ手段と呼ぶことにする。第２の実施形態では、通常の蓄積番組と通常の蓄積番組とは異なる属性を持つ特別番組とを区別して処理するディレクトリ手段を備える受信機３００を使用する。
【００３１】
図７の上半分は、第２の実施形態における受信機３００のディレクトリ手段の働きを説明する図である。すなわち、通常の蓄積番組である番組１に対しては、これを閲覧するためのボタン７０１が案内画面７００に表示されている。番組２、番組３についても同様である。しかし、特別番組を閲覧するためのボタンは案内画面に作成されない。
【００３２】
図７の下半分は、上記のようなディレクトリ手段を備えた特定者の受信機がＥＭを受信した場合の変化を示したものである。すなわち、リンク変更手段３０１に変わる閲覧有効化手段の働きにより、それ以後視聴者がリモコンの操作等により案内画面７００の表示を要求した場合は、受信機３００は特別番組を閲覧するためのボタン７０４を案内画面に付加する。
【００３３】
このようにして、データ放送番組作成者は、ダミー番組を放送するのではなく、特別番組を放送することで、実施形態１と同様に、後日視聴者が閲覧するのと全く同じ環境で、データ放送番組と同じ内容の特別番組の動作を確認することができる。一般の視聴者の受信機もこの特別番組を受信し記憶装置３１０に蓄積するが、ＥＭを受信後も図７の上側の状態のままにとどまり、決して特別番組を閲覧可能にはならない。
【００３４】
この方法は、▲１▼放送局２００が、通常の蓄積番組と、特別番組とを異なる属性の蓄積番組として区別して放送する、▲２▼受信機のディレクトリ手段が案内画面を構成する際、特別番組属性の番組は案内画面に加えない、▲３▼リンク変更手段３０１に代わる閲覧有効化手段は、図４のステップＳ６６において、次にディレクトリ手段が案内画面を作成する際は特別番組を通常の蓄積番組と全く同様に扱えるようにするために必要な設定を行う、の３点を実現することにより実施できる。▲３▼におけるステップＳ６６の処理内容は、具体的には特別番組の属性値を変更すればよいだけである。したがって、この方法において使用されるＥＭの添付データ部分には、特定者個人を識別する情報と特別番組を指定する情報が含まれていればよい。
【００３５】
放送局が放送するデジタル放送番組には、管理情報が含まれるので、この一部を用いて通常の蓄積番組と特別番組とを区別させる属性値を設定することは可能である。したがって以上述べた方法を実現することは可能である。尚、実際には、一定のタイミングで再度ＥＭを発信し、閲覧有効化手段が当別番組を消去するなどの処置も必要となる。これもＥＭに添付するデータによって閲覧有効化手段の動作を制御することができるため実現可能である。
【００３６】
【発明の効果】
本発明の方法によればいずれの実施形態によっても、データ放送番組制作担当者は、制作途中の番組の体裁確認およびリモコン操作等に対する動作の確認を、実際の受信機の上で、後日視聴者が視聴する時と同じ環境で、完全に検証することができる。この結果、室内環境でデジタル放送をシミュレーションするための高価なテスト設備を要することなく安価に正確に番組制作を進める事ができるという顕著な効果を奏する。
【図面の簡単な説明】
【図１】  データ放送番組制作システム１の全体構成図である。
【図２】  本発明の校正方法を利用したデータ放送番組制作システム１の運用フロー図である。
【図３】  蓄積型データ放送サービスのサービス形態概念図である。
【図４】  リンク変更手段３０１の処理を説明するフローチャートである。
【図５】  ダミー番組のリンクの変更を説明する概念図である。
【図６】  ダミー番組のリンクの変更を説明する概念図である。
【図７】  案内画面７００の変化を説明する概念図である。
【符号の説明】
１      データ放送番組制作システム
６      中継衛星
９      インターネット
１０    第１のサーバー（制作サーバー）
１１    ＷＷＷサーバー手段
１２    原稿登録手段
１４    流し込み手段
１５    番組編集手段
２０    記憶装置
２１    原稿データベース
２２    ＢＭＬテンプレート
２３    登録済み一画面データ
３０    配信サーバー
４０    クライアントコンピュータ
５０    クライアントコンピュータ
１００  データ放送番組制作業者の設備
２００  放送局
２０９  放送アンテナ
３００  受信機
３０１  リンク変更手段
３０６  通信線
３０９  受信アンテナ
３１０  内蔵記憶装置（ハードディスク）
３２０  プリンタ
３３０  ＴＶモニタ
５００  ダミー番組の一例
６００  ダミー番組の一例
７００  案内画面
【図１】
0003953846.tif 000002
【図２】
0003953846.tif 000003
【図３】
0003953846.tif 000004
【図４】
0003953846.tif 000005
【図５】
0003953846.tif 000006
【図６】
0003953846.tif 000007
【図７】
0003953846.tif 000008